(57)【要約】【課題】比較的安価であって作業者の作業の妨げにならずに熱中症の注意喚起が可能な熱中症注意シールを提供する。【解決手段】  熱中症注意シール１は、剥離紙１１と、粘着剤により形成され剥離紙１１に一体化されて剥離紙にその粘着面が保護された粘着剤層１２と、フィルムで形成されて粘着剤層により一方の表面が被覆されたシール基材１３と、シール基材の他方の表面に形成されて人に熱中症注意喚起を促す情報層１４と、少なくとも情報層を覆うように形成されたマスキング層１５と、を有する。情報層は熱変色しないインキで形成される。マスキング層は、通常は着色して情報層の人による視認を妨げ、所定の温度を超えると透明に変化して視認を可能とする、熱変色性インキで形成される。【選択図】図２
2018179685.tif 000002
【特許請求の範囲】
【請求項１】
剥離紙と、
粘着剤により形成され前記剥離紙に一体化されて前記剥離紙にその粘着面が保護された粘着剤層と、
フィルムで形成されて前記粘着剤層により一方の表面が被覆されたシール基材と、
前記シール基材の他方の表面に形成されて人に熱中症注意喚起を促す情報層と、
少なくとも前記情報層を覆うように形成されたマスキング層と、を有し、
前記情報層は熱変色しないインキで形成され、
前記マスキング層は、通常は着色して前記情報層の人による視認を妨げ、所定の温度を超えると透明に変化して前記視認を可能とする、熱変色性インキで形成された
ことを特徴とする熱中症注意シール。
【請求項２】
前記情報層を形成するインキと前記マスキング層を形成するインキとが、同系統の色である
請求項１に記載の熱中症注意シール。
【発明の詳細な説明】
【技術分野】
【０００１】
本発明は、例えばヘルメットに貼付されて、炎天下に屋外で作業する者に対して外気温等の上昇を認識させ早めに熱中症に対応することを促すための熱中症注意喚起手段に関する。
【背景技術】
【０００２】
近年、地球温暖化が急激にすすんでおり、日本国においても特定の地域では真夏の最高気温が４０度に達するようになっている。そして、初夏から晩夏にかけて、都市部に限られず日本国中で多くの人が熱中症により病院に搬送され治療される。
熱中症の予防策として、日中の外出を控え、体調を乱す前に水分および塩分補給することが推奨されている。しかし、建築、土木等に拘わる作業者は、炎天下に屋外での活動が避けられない。また、事前の水分の補給等についても、これらをいつ摂取するかの判断が容易ではない。
【０００３】
そこで、腕、足首または腰等に装着でき、外気温を測定して複数の設定温度ごとに光信号、音信号、または振動信号によって着用者に警告を発して熱中症の予防を喚起する熱中症予防温度計が提案されている（特許文献１）。
同様の目的で、液晶温度計により測定された温度とこの温度がどの程度熱中症にかかり易いかの危険度とを表示する、例えば携帯可能なクレジットカードサイズの液晶温度計付きカードも提案されている（特許文献２）。
【先行技術文献】
【特許文献】
【０００４】
【特許文献１】特開２００３−３４４１７５号公報
【特許文献２】実用新案登録第３１８５６６１号公報
【発明の概要】
【発明が解決しようとする課題】
【０００５】
特許文献１に提案された熱中症予防温度計は、金属や合成樹脂で製作された外箱内に、電源および一部が外気に接するセンサーが収容され、気温を表示する表示部が外箱表面に設けられている。この電気部品を内蔵する熱中症予防温度計は、一定の大きさ（厚み）を有すると推測され、人体に装着したとき作業の妨げとなる虞がある。また、この熱中症予防温度計は、複数の電気部品で構成されるために低価額での供給が容易ではない。
【０００６】
特許文献２に提案された液晶温度計付きカードは、着衣のポケットに収納してまたはネックストラップ等により首に掛けて使用するものと解される。液晶温度計付きカードを着衣のポケットに収納して使用する場合、作業中にポケットから落下するおそれがあり、蓋付きポケットに収納すると、確認のための取り出しが面倒である。ネックストラップ等で携帯する場合には、ストラップが揺れると活動的な作業の妨げとなる虞がある。
【０００７】
本発明は、上述の問題に鑑みてなされたもので、比較的安価であって作業者の作業の妨げにならずに熱中症の注意喚起が可能な注意喚起手段を提供することを目的とする。
【課題を解決するための手段】
【０００８】
本発明に係る熱中症注意シールは、剥離紙と、粘着剤により形成され剥離紙に一体化されて剥離紙にその粘着面が保護された粘着剤層と、フィルムで形成されて粘着剤層により一方の表面が被覆されたシール基材と、シール基材の他方の表面に形成されて人に熱中症
注意喚起を促す情報層と、少なくとも情報層を覆うように形成されたマスキング層と、を有する。
【０００９】
情報層は熱変色しないインキで形成される。マスキング層は、通常は着色して情報層の人による視認を妨げ、所定の温度を超えると透明に変化して視認を可能とする、熱変色性インキで形成される。
情報層を形成するインキとマスキング層を形成するインキとが同系統の色であることが好ましい。
【発明の効果】
【００１０】
本発明によると、比較的安価であって作業者の作業の妨げにならずに熱中症の注意喚起が可能な注意喚起手段を提供することができる。
【図面の簡単な説明】
【００１１】
【図１】図１は熱中症注意シール１の平面図である。
【図２】図２は熱中症注意シール１の正面断面図である。
【図３】図３は熱中症注意リストバンドの概略図である。
【発明を実施するための形態】
【００１２】
図１は熱中症注意シール１の平面図、図２は熱中症注意シール１の正面断面図である。ここで「正面」とは、図１において熱中症注意シール１を下から見た図をいう。図１および図２において、（ａ）は熱中症注意シール１が低温環境に置かれた場合、（ｂ）は熱中症注意シール１が高温環境に置かれた場合を示す。
熱中症注意シール１は、平面視（図１参照）で略十字であり、４〜５ｃｍ四方に収まる大きさである。熱中症注意シール１は、図２を参照して下から順に剥離紙１１、粘着剤層１２、シール基材１３、情報層１４およびマスキング層１５で構成される。
【００１３】
剥離紙１１は、熱中症注意シール１が対象物に貼付される直前まで、粘着剤層１２における粘着面（シール基材１３とは反対側の面）を異物等から保護するものである。剥離紙１１は、例えば、剥離剤にシリコン系樹脂、目止め層にポリエチレン樹脂、基材に上質紙を用いた樹脂ラミネート目止めタイプが使用される。
粘着剤層１２は、（情報層１４およびマスキング層１５が印刷された）シール基材１３を、貼付対象物に固着させる作用をする。粘着剤層１２は、シール基材１３の一方の表面に粘着剤が塗布されて形成される。粘着剤として、例えば溶剤系強粘糊であるアクリル系粘着剤が使用される。粘着剤層１２は、剥がし易い状態で粘着面が剥離紙１１に粘着され保護されている。
【００１４】
シール基材１３は、薄い膜状の合成樹脂（フィルム）である。シール基材１３は、透明ポリエステル（ＰＥＴ）のフィルム、または塩化ビニルのフィルムが用いられる。シール基材１３は、透明に限られず、白または薄く着色された材料で形成されてもよい。
情報層１４は、シール基材１３の他方の表面、つまり粘着剤層１２が塗布された側とは反対の表面に形成される。情報層１４は、熱中症への注意喚起を行う情報例えば「熱中症注意」という文字が熱変色しないインキで印刷された層である。したがって、情報層１４は、シール基材１３の表面全部を覆うのではなく、シール基材１３の表面における文字に対応する一部を覆う。情報層１４は、文字ではなく、熱中症をイメージさせるイラスト等であってもよい。
【００１５】
情報層１４は、シール基材１３が透明な場合、貼付対象物における熱中症注意シール１が貼付される場所周辺の色に対して目立つ色が採用される。例えば明色である黄色が一般的な土木作業用ヘルメット向けの熱中症注意シール１では、情報層１４の色は、黒、濃紺
等の暗色が選択される。情報層１４は、通常のフィルムへの印刷手段によりシール基材１３に印刷される。
【００１６】
マスキング層１５は、温度が低いときには情報層１４を遮蔽して文字情報等の視認を妨げ、温度が上昇して熱中症への注意喚起が必要な時にこの遮蔽を解除するためのものである。マスキング層１５は、一般的なフィルムへの印刷手段により、シール基材１３の全面に印刷（塗布）される。マスキング層１５は、当然に、情報層１４の文字情報の上にも印刷（塗布）される。マスキング層１５は、通常は着色しており所定の温度以上になると透明になる、熱変色性インキで形成される。マスキング層１５の色は、着色状態でその下の情報層１４の文字が遮蔽できる色、例えば情報層１４と同系統であって明度が情報層１４と同等の色が選択される。
【００１７】
情報層１４およびマスキング層１５の色の組合せとして、情報層１４が黒色のときマスキング層１５の着色状態が濃い緑色が例示できる。
マスキング層１５に使用される熱変色性インキは、株式会社サクラクレパスが販売する商品名「サクラＴＣカラー」である。土木作業用ヘルメットに貼付される熱中症注意シール１では、熱変色性インキは、４５度を境にこれより低温では着色し、これより高温では透明になるものが使用される。
【００１８】
子供用ヘルメットまたは子供用防帽子に貼付される熱中症注意シール１は、貼付される位置が地表に近くかつ子供の体力を考慮し、低い温度例えば３５度で透明になる熱変色性インキが使用される。熱変色性インキが透明になる温度は、熱中症注意シール１が使用される環境、貼付対象物、注意喚起すべき人の体力、年齢等の組合せに応じて適切に選択される。
【００１９】
熱変色性インキは、上述したものに限られず、パイロットインキ株式会社が供給する「メタモカラー（登録商標）」等を使用してもよい。また、マスキング層１５が透明になる温度は、熱変色性インキを適宜選択することにより任意に選択できる。
熱中症注意シール１は、電子機器が使用されてなく、剥離紙１１、粘着剤層１２、シール基材１３、およびいずれもインキで形成される情報層１４、マスキング層１５という単純な構成である。そのため、熱中症注意シール１は安価に製造できる。
【００２０】
また、熱中症注意シール１は、ヘルメット等の外面に貼付するので意図せずに人の目にふれ、常時人による視認が可能である。
熱中症注意シール１は、次のように変色して熱中症に対する注意喚起を行う。
例えばヘルメットに貼付された熱中症注意シール１は、回りの温度が低いとき、マスキング層１５が着色した状態に維持される。着色するマスキング層１５は、情報層１４と同系色かつ同程度の明度のインキが選択されているので、情報層１４に記載された文字情報等の視認を妨げる（図１，２のそれぞれ（ａ））。
【００２１】
確認のために図１（ａ）では情報層１４に記載された文字情報が視認できるが、実施する熱中症注意シール１では文字情報はマスキング層１５により完全に遮蔽される。
しかし、熱中症注意シール１は、例えば真夏に長時間外気に晒されると、気温の上昇、路面からの照り返し等により暖められる。熱中症注意シール１の周囲の環境が熱中症になる虞がある温度になると、つまり、マスキング層１５を構成する熱変色性インキの変色域に達すると、マスキング層１５は着色状態から透明に変化する。
【００２２】
マスキング層１５が透明に変化すると、いままでマスキング層１５が着色していたことにより隠れていた情報層１４の文字情報等が視認可能な状態になる（図１，２のそれぞれ（ｂ））。
土木工事現場等では通常複数人が作業しており、各作業員は、同僚のヘルメットに貼付された熱中症注意シール１の（マスキング層１５の）変色により外気温の上昇を認識する。さらに作業員は、同僚のヘルメットに現れた情報層１４の文字情報等によって自らに熱中症に対する注意喚起を行う。
【００２３】
マスキング層１５を、シール基材１３の全面に塗布するのではなく、情報層１４の上にのみその文字等の意味が読み取れないように塗布してもよい。そのように塗布しても、マスキング層１５が透明になることにより、情報層１４に記載された文字等を人が視認することができる。
マスキング層１５を、熱変色性インキが一様に塗布されたものでなく、密な点（ドット）としてもよい。離れた位置からは一様に塗布されたように錯覚することにより、着色状態では十分に情報層１４の文字情報等をマスキングすることができる。
【００２４】
熱中症注意シール１は、例示した作業用ヘルメットの他、ベビーカー、自転車、運搬用台車、トラックの荷台等に貼付して、熱中症に対する注意喚起を自らにおよび周囲の人に行うことができる。熱中症注意シール１の形は、円形、四角形等の他の形状としてもよい。
図３は熱中症注意リストバンド２の概略図である。図３（ａ）は熱中症注意リストバンド２の斜視図、（ｂ）は熱中症注意リストバンド２に使用される熱中症注意シール１Ｂの正面断面図である。
【００２５】
熱中症注意リストバンド２は、リストバンド本体２１、面ファスナー３および熱中症注意シール１Ｂからなる。
リストバンド本体２１は、人の手首に巻き付けるためのもので、有る程度の幅、例えば２ｃｍ以上の幅を有する。いわゆるリストバンドは汗を吸収し易い綿で作られるが、リストバンド本体２１は他の材料でも製作可能である。
【００２６】
面ファスナー（登録商標）３は、フック状部２２およびループ状部２３のいずれも短冊状の２つの部分からなる。フック状部２２は片側の表面がフックの形状に起毛されており、ループ状部２３は片側の表面がループ状に起毛されている。フック状部２２およびループ状部２３は、それぞれの起毛された側同士を押し付けると一つとなりし、引きはがすことで分離する。フック状部２２は、長手方向をリストバンド本体２１の周方向に一致させて、その起毛されていない側がリストバンド本体２１に一体化されている。
【００２７】
熱中症注意シール１Ｂは、細長い短冊状であって、平面視において縦横の大きさが面ファスナー３のループ状部２３と略同じである。ここで「平面視」とは、熱中症注意シール１Ｂをその厚さ方向から見ること
熱中症注意シール１Ｂは、図３（ｂ）を参照して下から順に粘着剤層１２、シール基材１３、情報層１４およびマスキング層１５で構成される。熱中症注意シール１Ｂにおける粘着剤層１２、シール基材１３、情報層１４およびマスキング層１５は、前述した熱中症注意シール１におけるこれらと同一である。
【００２８】
つまり、熱中症注意シール１Ｂの構成としては、熱中症注意シール１の剥離紙１１を剥がしたものであり、平面視における形状が異なるのみで、その本質的構造は熱中症注意シール１と同一である。熱中症注意シール１Ｂは、その粘着面がループ状部２３の起毛されていない側に強く粘着されている。
熱中症注意リストバンド２は、リストバンド本体２１に一体化された面ファスナー３のフック状部２２に、熱中症注意シール１Ｂに粘着されたループ状部２３が貼り付けられたものである。
【００２９】
なお、図３（ａ）では情報層１４に記載された文字情報が視認できるが、実施する熱中症注意シール１Ｂでは文字情報はマスキング層１５により完全に遮蔽される。
熱中症注意リストバンド２は、人の腕に直接装着することにより、腕時計で時間を
確認するようにその注意情報の有無を確認でき、または歩行するときの腕の振りで自然に注意情報の有無を確認できる。
【００３０】
作業時に長袖着用が義務づけられている職場等では、長袖の袖口に面ファスナー３のフック状部２２を取り付けて、これと熱中症注意シール１Ｂに粘着されたループ状部２３とを貼り合わせることにより、熱中症注意リストバンド２と同じように着用者に熱中症の注意喚起を行うことができる。
上述の実施形態において、熱中症注意シール１，１Ｂ、および熱中症注意リストバンド２の各構成または全体の構造、形状、寸法、個数、材質などは、本発明の趣旨に沿って適宜変更することができる。
【産業上の利用可能性】
【００３１】
本発明は、例えばヘルメットに貼付されることで、炎天下に屋外で作業する者に対して外気温等の上昇を認識させ、早めに熱中症に対応することを促すための熱中症注意喚起手段に利用することができる。
【符号の説明】
【００３２】
１    熱中症注意シール
１１  剥離紙
１２  粘着剤層
１３  シール基材
１４  情報層
１５  マスキング層
【図１】
2018179685.tif 000003
【図２】
2018179685.tif 000004
【図３】
2018179685.tif 000005